(57)【要約】【課題】構成を複雑化することなく、ランドセル、リュックサックその他の背のうの蓋部の開閉操作の簡便性を有しつつ、蓋止め状態を確実に維持することができる背のうの蓋部の固定構造を提供する。【解決手段】背のう部本体に設けられた第１吸引部と、蓋部から延びる帯体に設けられた第２吸引部と、互いに吸引した第１吸引部と第２吸引部が、その対向方向に沿って離間することを規制する規制部とを備え、第１吸引部と第２吸引部はそれぞれ、互いに吸引可能な永久磁石を備え、第１吸引部と第２吸引部は、所定の回動軸に沿った方向において互いに対向した状態で、回動軸の周りを相対的に回動可能に設けられ、それぞれが備える永久磁石同士の吸引力が最も強い固定位置まで回動し、この固定位置において、規制部によって対向方向における離間が規制される。【選択図】図２
2019176892.tif 000002
【特許請求の範囲】
【請求項１】
内部に収納部が設けられた背のう部本体と、前記収納部の上部を開閉可能とする蓋部とを備えてなる背のうの蓋部の固定構造であって、
前記背のう部本体に設けられた第１吸引部と、前記蓋部から延びる帯体に設けられた第２吸引部と、互いに吸引した前記第１吸引部と前記第２吸引部が、その対向方向に沿って離間することを規制する規制部とを備え、
前記第１吸引部と前記第２吸引部はそれぞれ、互いに吸引可能な永久磁石を備え、
前記第１吸引部と前記第２吸引部は、所定の回動軸に沿った方向において互いに対向した状態で、前記回動軸の周りを相対的に回動可能に設けられ、それぞれが備える永久磁石同士の吸引力が最も強い固定位置まで回動し、この固定位置において、前記規制部によって前記対向方向における離間が規制されることを特徴とする背のうの蓋部の固定構造。
【請求項２】
前記第２吸引部は、前記帯体に回動可能に設けられた軸部材とともに、前記回動軸を中心として回動可能であり、
前記第１吸引部は前記背のう部本体の底部に固定されており、前記第１吸引部には、前記軸部材を回動可能に受容する軸受け部が設けられている請求項１に記載の背のうの蓋部の固定構造。
【請求項３】
前記規制部は、前記第１吸引部と前記第２吸引部が、それぞれが備える永久磁石同士の吸引力が最も強い固定位置まで相対的に回動したときに、前記第１吸引部と前記第２吸引部が互いに対向する方向に沿って離間することを妨げる壁部を備え、
前記第１吸引部と前記第２吸引部が、相対的な回動によって前記固定位置とは異なる位置に至ったときに、互いに離間することを可能とする開口部が設けられている請求項１又は請求項２に記載の背のうの蓋部の固定構造。
【請求項４】
前記第２吸引部が備える前記永久磁石は、前記軸部材に関して対称に配置された１組の永久磁石であり、
前記第１吸引部が備える前記永久磁石は、前記軸受け部に関して対称に配置された１組の永久磁石である請求項２又は請求項３に記載の背のうの蓋部の固定構造。
【請求項５】
前記第２吸引部の永久磁石は、円板状をなし、又は、円環状の設置部内に設けられ、
前記第１吸引部は、前記規制部として、前記円板又は前記円環の外縁部の一部を収容可能な溝部を備え、
前記第２吸引部を前記固定位置まで回動させたときに、前記外縁部の一部が前記溝部内に収容され、前記規制部としての前記溝部によって前記第２吸引部が前記対向方向に移動することが規制される請求項１から請求項４のいずれか１項に記載の背のうの蓋部の固定構造。
【請求項６】
前記第２吸引部の回動は、前記第１吸引部の溝部に当接することによって規制される請求項５に記載の背のうの蓋部の固定構造。
【請求項７】
前記第２吸引部は、前記軸部材に関して対称になるように、前記軸部材から外側へ延びる１組の突起部を備え、
前記第１吸引部には、その上壁部において、前記開口部として、前記１組の突起部に対応した形状の少なくとも１組の孔部が設けられるとともに、この１組の孔部に対応する位置に前記１組の永久磁石が配置され、
前記１組の孔部から前記１組の突起部を前記第１吸引部の内部に導入した後に、前記第１吸引部に対して前記１組の突起部を回動させることによって、前記規制部としての前記上壁部によって前記１組の突起部が前記対向方向に移動することが規制される請求項１から請求項４のいずれか１項に記載の背のうの蓋部の固定構造。
【請求項８】
前記第１吸引部には、前記１組の孔部に加えて、前記上壁部において前記１組の突起部に対応した形状の、さらなる１組の孔部が設けられるとともに、この１組の孔部に対応する位置に、さらなる１組の永久磁石が配置され、
前記上壁部の２組の孔部のいずれかから前記１組の突起部を前記第１吸引部の内部に導入した後に、前記第１吸引部に対して前記突起部を回動させることによって、前記２組の孔部の間の位置において、前記規制部としての前記上壁部によって前記１組の突起部が前記対向方向に移動することが規制される請求項７に記載の背のうの蓋部の固定構造。
【請求項９】
前記第２吸引部には、前記１組の突起部の回動角度を規制する角度規制部が設けられている請求項７又は請求項８に記載の背のうの蓋部の固定構造。
【発明の詳細な説明】
【技術分野】
【０００１】
本発明は、ランドセル、リュックサックその他の背のうにおいて、収納部を閉じる蓋部を背のう部本体に固定するための構造に関する。
【背景技術】
【０００２】
ランドセル、リュックサックその他の背のうの蓋部の固定構造として、例えば特許文献１に記載のランドセル用蓋止め具がある。この蓋止め具は、ランドセル本体の底部に固定された取付金具の中央部に摘体が回動自在に設けられ、この摘体を蓋の延長ベルトの端部に取り付けられた止板の開口に係合させることによって、蓋をランドセル本体へ止めるものである。このような蓋止め装置によれば、比較的簡単な構成で、ランドセルの蓋を簡便かつ確実に止めることができ、また、容易に係合を解除して蓋を開くことができる。
【先行技術文献】
【特許文献】
【０００３】
【特許文献１】特開２００１−２５２１２１号公報
【発明の概要】
【発明が解決しようとする課題】
【０００４】
しかしながら、特許文献１に記載のランドセル用蓋止め具では、摘体を回転させるだけで、止板の開口に対して容易に係合させることができる一方、蓋やランドセル本体の振動等による外力によって摘体が回転してしまうおそれがあり、これによって摘体と開口との係合が解除され、蓋がランドセル本体の底部から離れて不安定な状態になってしまうことが懸念される。
【０００５】
これに対して、蓋を止めた後の摘体の回転を防止するような機構を追加すると、構成が複雑となり、蓋止め装置のサイズが大きくなってしまうおそれがある。さらに、蓋を開閉するときに使用者に対して複雑な操作を強いることとなり、また、背のうを背中から下ろさなければ蓋を開けることができなくなることから、操作の簡便性が損なわれてしまうおそれがある。
【０００６】
そこで本発明は、構成を複雑化することなく、ランドセル、リュックサックその他の背のうの蓋部の開閉操作の簡便性を有しつつ、蓋止め状態を確実に維持することができる固定構造を提供することを目的とする。
【課題を解決するための手段】
【０００７】
上記課題を解決するために、本発明の背のうの蓋部の固定構造は、内部に収納部が設けられた背のう部本体と、収納部の上部を開閉可能とする蓋部とを備えてなる背のうの蓋部の固定構造であって、背のう部本体に設けられた第１吸引部と、蓋部から延びる帯体に設けられた第２吸引部と、互いに吸引した第１吸引部と第２吸引部が、その対向方向に沿って離間することを規制する規制部とを備え、第１吸引部と第２吸引部はそれぞれ、互いに吸引可能な永久磁石を備え、第１吸引部と第２吸引部は、所定の回動軸に沿った方向において互いに対向した状態で、回動軸の周りを相対的に回動可能に設けられ、それぞれが備える永久磁石同士の吸引力が最も強い固定位置まで回動し、この固定位置において、規制部によって対向方向における離間が規制されることを特徴としている。
【０００８】
本発明の背のうの蓋部の固定構造において、第２吸引部は、帯体に回動可能に設けられた軸部材とともに、回動軸を中心として回動可能であり、第１吸引部は背のう部本体の底部に固定されており、第１吸引部には、軸部材を回動可能に受容する軸受け部が設けられていることが好ましい。
【０００９】
本発明の背のうの蓋部の固定構造において、規制部は、第１吸引部と第２吸引部が、それぞれが備える永久磁石同士の吸引力が最も強い固定位置まで相対的に回動したときに、第１吸引部と第２吸引部が互いに対向する方向に沿って離間することを妨げる壁部を備え、第１吸引部と第２吸引部が、相対的な回動によって固定位置とは異なる位置に至ったときに、互いに離間することを可能とする開口部が設けられていることが好ましい。
【００１０】
本発明の背のうの蓋部の固定構造において、第２吸引部が備える永久磁石は、軸部材に関して対称に配置された１組の永久磁石であり、第１吸引部が備える永久磁石は、軸受け部に関して対称に配置された１組の永久磁石であることが好ましい。
【００１１】
本発明の背のうの蓋部の固定構造の第１の態様において、第２吸引部の永久磁石は、円板状をなし、又は、円環状の設置部内に設けられ、第１吸引部は、規制部として、円板又は円環の外縁部の一部を収容可能な溝部を備え、第２吸引部を固定位置まで回動させたときに、外縁部の一部が溝部内に収容され、規制部としての溝部によって第２吸引部が対向方向に移動することが規制されることが好ましい。
【００１２】
本発明の背のうの蓋部の固定構造の第１の態様において、第２吸引部の回動は、第１吸引部の溝部に当接することによって規制されることが好ましい。
【００１３】
本発明の背のうの蓋部の固定構造の第２の態様において、第２吸引部は、軸部材に関して対称になるように、軸部材から外側へ延びる１組の突起部を備え、第１吸引部には、その上壁部において、前記開口部として、１組の突起部に対応した形状の少なくとも１組の孔部が設けられるとともに、この１組の孔部に対応する位置に１組の永久磁石が配置され、１組の孔部から１組の突起部を第１吸引部の内部に導入した後に、第１吸引部に対して１組の突起部を回動させることによって、規制部としての上壁部によって１組の突起部が対向方向に移動することが規制されることが好ましい。
【００１４】
本発明の背のうの蓋部の固定構造の第２の態様において、第１吸引部には、１組の孔部に加えて、上壁部において１組の突起部に対応した形状の、さらなる１組の孔部が設けられるとともに、この１組の孔部に対応する位置に、さらなる１組の永久磁石が配置され、上壁部の２組の孔部のいずれかから１組の突起部を第１吸引部の内部に導入した後に、第１吸引部に対して突起部を回動させることによって、２組の孔部の間の位置において、規制部としての上壁部によって１組の突起部が対向方向に移動することが規制されることが好ましい。
【００１５】
本発明の背のうの蓋部の固定構造の第２の態様において、第２吸引部には、１組の突起部の回動角度を規制する角度規制部が設けられていることが好ましい。
【発明の効果】
【００１６】
本発明によると、構成を複雑化することなく、ランドセル、リュックサックその他の背のうの蓋部の開閉操作の簡便性を有しつつ、蓋止め状態を確実に維持することができる背のうの蓋部の固定構造を提供することができる。
【図面の簡単な説明】
【００１７】
【図１】第１実施形態に係る背のうの蓋部としての蓋板の固定構造を備えたランドセルの底面図である。
【図２】図１に示す蓋板から延びる帯体としての引張帯を、背のう部本体の底面から外した状態を示す図である。
【図３】第１実施形態における第１吸引部を拡大して示す斜視図である。
【図４】第１実施形態における第２吸引部を拡大して示す斜視図である。
【図５】（ａ）、（ｂ）は、第１実施形態における第１吸引部と第２吸引部の装着過程を概念的に示す断面図である。
【図６】第２実施形態に係る背のうの蓋部としての蓋板の固定構造を備えたランドセルの底面図である。
【図７】図６に示す蓋板から延びる帯体としての引張帯を、背のう部本体の底面から外した状態を示す図である。
【図８】（ａ）、（ｂ）は、第２実施形態における第１吸引部の製造過程を示す斜視図、（ｃ）は完成した第１吸引部を示す斜視図である。
【図９】（ａ）は、第２実施形態において、カバー板を外した状態の第２吸引部を示す斜視図、（ｂ）は第２吸引部を示す斜視図である。
【図１０】（ａ）、（ｂ）は、第２実施形態における第１吸引部と第２吸引部の装着過程を概念的に示す断面図である。
【発明を実施するための形態】
【００１８】
以下、本発明の実施形態に係る背のうの蓋部の固定構造について図面を参照しつつ詳しく説明する。以下の説明においては、ランドセルに適用した例を挙げるが、本発明の背のうの蓋部の固定構造は、ランドセルに限定されず、例えばリュックサックその他の背負い鞄（背のう）も対象としている。また、蓋部は、ランドセルの蓋板のように一定の剛性を有する板状の蓋板に限定されず、軟性材料や布材などからなり、変形可能な蓋材にも適用可能である。
【００１９】
＜第１実施形態＞
図１は、第１実施形態に係る背のうの蓋部としての蓋板１６の固定構造を備えたランドセル１１の底面図である。図２は、図１に示す蓋板１６から延びる帯体としての引張帯１８を、背のう部本体１５の底面１５ａから外した状態を示す図である。図３は、第１吸引部２０を拡大して示す斜視図である。図４は、第２吸引部３０を拡大して示す斜視図である。図５（ａ）、（ｂ）は、第１吸引部２０と第２吸引部３０の装着過程を概念的に示す断面図である。図５（ａ）、（ｂ）は、図３のＡ−Ａ’線の位置における断面図であって、（ａ）は第２吸引部３０が第１吸引部２０に吸着したときの状態を示し、（ｂ）はその後に第２吸引部３０が回動した後の状態を示している。
【００２０】
以下の説明において、ランドセル１１の背当て部１３側（図１の下側）を前方、蓋板１６側（図１の上側）を後方、図１における左右を左右方向、とそれぞれ称する。また、図１の底面図に示すように下側から上側から見た状態を平面視と呼ぶことがある。
【００２１】
図１に示すように、背のうとしてのランドセル１１は背のう部本体１５を有し、この背のう部本体１５は、使用者の背中に接して支持される平板状の背当て部１３と、内部に設けられた収納部１４とを備える。
【００２２】
全体として箱状をなす背のう部本体１５は、蓋部としての蓋板１６によって収納部１４の開口部が開閉可能とされ、収納部１４内に教科書や学用品などを収納可能にしている。ランドセル１１は、左右１組の背負いベルト１７を備え、これらの背負いベルト１７は、使用者の左右の肩部に背のう部本体１５を背負わせるべく掛け回され、背のう部本体１５の背当て部１３の上方にその上端部が支持され、背のう部本体１５の背当て部１３の下端部側で支持される。
【００２３】
蓋板１６の下端からは、帯体としての引張帯１８が延びており、この引張帯１８には第２吸引部３０が設けられている。一方、図２に示すように、背のう部本体１５の底面１５ａには、第１吸引部２０が設けられている。以下に述べるように、第１吸引部２０に設けた１組の永久磁石２２、２３と、第２吸引部３０に設けた１組の永久磁石３２、３３との間に働く磁気的吸引力により、互いに対向する第１吸引部２０と第２吸引部３０とが固定された状態と、互いに離間可能な状態とが選択可能となり、これによって引張帯１８が背のう部本体１５に対して脱着可能とされる。
【００２４】
第１吸引部２０と第２吸引部３０を構成する材料は、固定強度や、脱着操作に対する耐久性、ランドセル１１全体の重量や重量バランスなどを考慮して選択することが好ましく、例えばアルミニウムなどの軽量で耐久性のある金属で構成するとよい。
【００２５】
第１吸引部２０は、図２に示すように、背のう部本体１５の底面１５ａにおいて、背のう部本体１５の左右方向（図１の左右方向）に沿って延びるように固定された、平面視長方形状の板材から構成される（図３参照）。第１吸引部２０の左右方向の中心には、第２吸引部３０に設けられた軸部材３１を回動可能に受容する凹部としての軸受け部２１が形成されている。
【００２６】
図３に示すように、第１吸引部２０の長手方向をＬ１−Ｌ２方向、幅方向をＷ１−Ｗ２方向、これらの２方向に直交する厚み方向をＤ１−Ｄ２方向としたとき、Ｌ１−Ｌ２方向において軸受け部２１の左右両側には、軸受け部２１に関して対称に１組の永久磁石２２、２３が配置されている。これらの永久磁石２２、２３は、互いに同一の形状を有し、かつ、平面視円形をなしており、この円形に沿うような平面形状を備えた２つの凹部２４、２５内にそれぞれ配置されている。永久磁石２２、２３における磁極の配置方向は互いに同一であり、例えば、第１吸引部２０のＤ１側にＮ極、Ｄ２側にＳ極が配置される。
【００２７】
図３に示すように、凹部２４、２５は軸受け部２１に関して対称な形状を備えている。凹部２４は、第１吸引部２０の厚み方向（Ｄ１−Ｄ２方向）に沿って延びる壁部２４ａ（規制部）に囲まれて形成されている。この壁部２４ａは、平面視円形の永久磁石２２の外形に沿うような平面形状を有しているが、Ｗ１側には形成されておらず、外側へ開いた開口部２４ｄとされている。同様に、凹部２５についても、Ｄ１−Ｄ２方向に沿って延びる壁部２５ａ（規制部）に囲まれて形成されている。壁部２５ａは、平面視円形の永久磁石２３の外形に沿うような平面形状を有しているが、Ｗ２側には形成されておらず、外側へ開いた開口部２５ｄとされている。
【００２８】
図５（ａ）、（ｂ）に示すように、壁部２５ａのＷ１側には、上壁部２５ｃ（規制部）を残してＷ１側へ凹んだ溝部２５ｂが設けられている。図５（ａ）、（ｂ）には示していないが、壁部２４ａのＷ２側にも、溝部２５ｂと同様に、上壁部２４ｃ（規制部）を残してＷ２側へ凹んだ溝部２４ｂが設けられている（図３参照）。
【００２９】
第２吸引部３０は、図４に示すように、軸部材３１と、軸部材３１に取り付けられた長板状の基材３６とを備える。基材３６は、軸部材３１の中心軸である回動軸ＡＸを中心として、軸部材３１とともに回動可能とされている。回動軸ＡＸは、平面視で略長方形状の基材３６の中心に配置されている。軸部材３１は、引張帯１８に固定された円板状の台座部３７に対して、回動可能に挿通され、台座部３７から延出した端部は操作部３８に固定されている。操作部３８は、引張帯１８に関して第２吸引部３０と反対側に配置され、軸部材３１を介して第２吸引部３０と一体化されている。よって、第２吸引部３０が回動軸ＡＸを中心に回動すれば操作部３８も回動し、使用者による操作によって操作部３８が回動軸ＡＸを中心に回動したときは第２吸引部３０も一体となって回動する。
【００３０】
基材３６には、台座部３７から遠い側の面３６ａにおいて、回動軸ＡＸ及び軸部材３１に関して対称になるように、１組の設置部３４、３５が設けられている。設置部３４、３５は、基材３６の長手方向において、軸部材３１を挟んだ両側に配置されている。設置部３４、３５は、回動軸ＡＸに沿った方向から見た平面視において円環状をなしており、第２吸引部３０の厚み方向に沿って突出するように設けられている。設置部３４、３５の内部には、１組の永久磁石３２、３３がそれぞれ配置されている。永久磁石３２、３３は、互いに同一の形状を有し、かつ、平面視円形をなしており、その直径は、第１吸引部２０に設けた永久磁石２２、２３と同一とされ、また、間隔は１組の永久磁石２２、２３の間隔と同一とされている。
【００３１】
上記１組の永久磁石３２、３３における磁極の配置方向は互いに同一であり、回動軸ＡＸに沿った方向において、一方をＮ極、他方をＳ極としている。この磁極は、引張帯１８を閉じる際に、１組の永久磁石３２、３３を、第１吸引部２０側の１組の永久磁石２２、２３にそれぞれ対向させたときに、互いに異なる磁極が対向しあうように配置されている。すなわち、永久磁石２２、２３のＤ１側（対向面側）にＮ極が配置された場合は、永久磁石３２、３３の表面（対向面）側にＳ極が配置される。
【００３２】
図５（ａ）、（ｂ）と図４に示すように、設置部３５には、回動軸ＡＸに沿った方向（Ｄ１−Ｄ２方向）において、先端部３５ａを残して係合凹部３５ｂが設けられている。この係合凹部３５ｂは、設置部３５の中心軸側へ凹んでいる。また、図４に示すように、設置部３４においても、設置部３５と同様に、先端部３４ａを残して内側へ凹んだ係合凹部３４ｂが設けられている。
【００３３】
以上のように第１吸引部２０と第２吸引部３０に永久磁石を１組ずつ配置したため、背のう部本体１５の底面１５ａに引張帯１８を接近させると、第１吸引部２０と第２吸引部３０の間、すなわち、永久磁石２２と永久磁石３２との間、及び、永久磁石２３と永久磁石３３との間でそれぞれ磁気的な吸引力が働く。これにより、軸受け部２１内に軸部材３１が挿入されるとともに、永久磁石３２を備えた設置部３４が凹部２４内に誘導され、かつ、永久磁石３３を備えた設置部３５が凹部２５内に誘導される（図５（ａ））。
【００３４】
図５（ａ）に一部示すように、設置部３４、３５の外形形状と、これらに対応する凹部２４、２５の形状との関係から、まず第１吸引部２０のＤ１−Ｄ２方向に沿って、設置部３４、３５が凹部２４、２５内にそれぞれ導入される。このとき、Ｗ１−Ｗ２方向において、永久磁石２２、２３は、永久磁石３２、３３のそれぞれに対してずれた位置に配置されている。具体的には、永久磁石２２についてはＷ２側へずれており、もう一つの永久磁石２３については、図５（ａ）に示すようにＷ１側へずれている。
【００３５】
さらに、図５（ａ）に示すように、第１吸引部２０側の永久磁石２３と第２吸引部３０側の永久磁石３３とが接触するまで設置部３５がＤ２側へ移動すると、Ｄ１−Ｄ２方向において、係合凹部３５ｂと上壁部２５ｃが対応し、先端部３５ａと溝部２５ｂも対応するように位置する。このため、係合凹部３５ｂ内に上壁部２５ｃを係合させ、溝部２５ｂ内に先端部３５ａを収容（係合）させることが可能となる。凹部２４と設置部３４についても、永久磁石２２と永久磁石３２とが接触するまで設置部３４が移動すると、Ｄ１−Ｄ２方向において同様の位置関係となり、係合凹部３４ｂ内に上壁部２４ｃが係合し、溝部２４ｂ内に先端部３４ａが収容される。
【００３６】
第１吸引部２０側の永久磁石２３と第２吸引部３０側の永久磁石３３との間、及び、第１吸引部２０側のもう一つの永久磁石２２と第２吸引部３０側でこれに対応する永久磁石３２との間にはそれぞれ、互いに正対するように磁気的な吸引力が働いている。よって、第２吸引部３０は、２組の永久磁石間の磁気力にしたがって、回動軸ＡＸを中心として回動し、対向しあう磁石同士の吸引力が最も強い固定位置（正対した位置）に至る。このとき、凹部２５と設置部３５が互いに当接・係合し、かつ、凹部２４と設置部３４が互いに当接・係合し、第２吸引部３０は回動を停止する（図５（ｂ）参照）。これらの係合によって、Ｄ１−Ｄ２方向、すなわち、第１吸引部２０側の永久磁石２２、２３と、第２吸引部３０側の永久磁石３２、３３とのそれぞれの対向方向において、設置部３５は凹部２５によって移動（離間）が規制され、設置部３４は凹部２４によって移動（離間）が規制される。このため、第２吸引部３０を設けた引張帯１８は、第１吸引部２０に対して固定され、蓋板１６が閉じた状態となる。
【００３７】
これに対して、使用者が、回動軸ＡＸを中心として操作部３８を回動させる操作を行うと、操作部３８と一体化された第２吸引部３０も回動するため、設置部３４は開口部２４ｄ側へ移動し、設置部３５は開口部２５ｄ側へ移動する。これによって、凹部２４と設置部３４の係合、及び、凹部２５と設置部３５との係合が解除され、第２吸引部３０が第１吸引部２０から離間可能となる（図５（ａ）の状態）。この状態においては、永久磁石２２とこれに対応する永久磁石３２の間、及び、もう一つの永久磁石２３とこれに対応する永久磁石３３との間の磁気的吸引力よりも大きな力でＤ１方向に沿って引張帯１８を引き上げると、第２吸引部３０が第１吸引部２０から離間し、引張帯１８を第１吸引部２０から脱離することができ、蓋板１６を開くことが可能となる。
【００３８】
以上のように構成されたことから、第１実施形態によれば、第２吸引部３０を第１吸引部２０側に固定するために複雑な構成を加えることがなく、簡素な構成で、蓋板１６の開閉操作を簡便に行うことができる。さらに、凹部２４、２５の構成によって、永久磁石３２、３３をそれぞれ備えた設置部３４、３５を確実に規制できるため、蓋止め状態を確実に維持することができる。
【００３９】
以下に変形例について説明する。
第１実施形態においては、設置部３４、３５に係合凹部３４ｂ、３５ｂをそれぞれ設けていたが、係合凹部３４ｂ、３５ｂを設けない構成も可能である。この構成においては、第１吸引部２０と第２吸引部３０とを磁気的に互いに吸引させた後に、回動軸ＡＸを中心として第２吸引部３０を回動させたときに、溝部２４ｂ、２５ｂ内に設置部３４、３５の外縁部が挿入され、Ｄ１−Ｄ２方向における設置部３４、３５の移動が規制されるようにするとよい。
【００４０】
＜第２実施形態＞
図６は、第２実施形態に係る背のうの蓋部としての蓋板１１６の固定構造を備えたランドセル１１１の底面図である。図７は、図６に示す蓋板１１６から延びる帯体としての引張帯１１８を、背のう部本体１１５の底面１１５ａから外した状態を示す図である。図８（ａ）、（ｂ）は、第１吸引部１２０の製造過程を示す斜視図、（ｃ）は完成した第１吸引部１２０を示す斜視図である。図９（ａ）は、カバー板１３８を外した状態の第２吸引部１３０を示す斜視図、（ｂ）は第２吸引部１３０を示す斜視図である。図１０（ａ）、（ｂ）は、第１吸引部１２０と第２吸引部１３０の装着過程を概念的に示す断面図である。図１０（ａ）の上下の図は、図８（ｃ）のＢ−Ｂ’線の位置における断面図であって、（ｂ）の上下の図は図８（ｃ）のＣ−Ｃ’線の位置における断面図である。図１０（ａ）、（ｂ）の上側の図は、第２吸引部１３０を第１吸引部１２０内に挿入したときの状態を示し、下側の図はその後に第２吸引部１３０の軸部材１３１を回動させた後の状態を示している。
【００４１】
以下の説明において、第１実施形態と同様に、ランドセル１１１の背当て部１１３側（図６の下側）を前方、蓋板１１６側（図６の上側）を後方、図６における左右を左右方向、とそれぞれ称する。また、図６の底面図に示すように下側から上側から見た状態を平面視と呼ぶことがある。
【００４２】
図６と図７に示すように、第２実施形態のランドセル１１１は、第１吸引部１２０と第２吸引部１３０を除いて、第１実施形態のランドセル１１と同様の構成を備える。すなわち、図６に示すように、背のうとしてのランドセル１１１は背のう部本体１１５を有し、この背のう部本体１１５は、使用者の背中に接して支持される平板状の背当て部１１３と、内部に設けられた収納部１１４とを備える。さらに、蓋部としての蓋板１１６によって収納部１１４の開口部が開閉可能とされており、左右１組の背負いベルト１１７を備えている。これら各部の構成・配置等は第１実施形態と同様であるため、その詳細な説明は省略する。
【００４３】
蓋板１１６の下端からは、帯体としての引張帯１１８が延びており、この引張帯１１８には第２吸引部１３０が設けられている。一方、図７に示すように、背のう部本体１１５の底面１１５ａには、第１吸引部１２０が設けられている。
【００４４】
以下に述べるように、第１吸引部１２０に設けた２組の永久磁石１２２ａ、１２２ｂ、１２３ａ、１２３ｂと、第２吸引部１３０に設けた１組の永久磁石１３２、１３３との間に働く磁気的吸引力により、互いに対向する第１吸引部１２０と第２吸引部１３０とが固定された状態と、互いに離間可能な状態とが選択可能となり、これによって引張帯１１８が背のう部本体１１５に対して脱着可能とされる。
【００４５】
第１吸引部１２０と第２吸引部１３０を構成する材料は、固定強度や、脱着操作に対する耐久性、ランドセル１１１全体の重量や重量バランスなどを考慮して選択することが好ましく、例えばアルミニウムなどの軽量で耐久性のある金属で構成するとよい。
【００４６】
第１吸引部１２０は、図７に示すように、背のう部本体１１５の底面１１５ａにおいて、背のう部本体１１５の左右方向（図６の左右方向）に沿って延びるように固定されている。第１吸引部１２０は、図８（ａ）に示す基材１２０ａの中央の凹部１２０ａｃ内に、図８（ｂ）に示す中間板１２０ｂを配置し、さらに、凹部１２０ａｃ内であって中間板１２０ｂ上に、図８（ｃ）に示す磁石保持板１２０ｃを配置した構成を備える。第１吸引部１２０の左右方向の中心には、第２吸引部１３０に設けられた軸部材１３１を回動可能に受容する凹部としての軸受け部１２１が形成されている。
【００４７】
以下、図８（ａ）、（ｂ）、（ｃ）又は図１０（ａ）に示すように、第１吸引部１２０の長手方向をＬ１−Ｌ２方向（左右方向）、幅方向をＷ１−Ｗ２方向（奥行き方向）、これらの２方向に直交する厚み方向Ｄ１−Ｄ２方向（上下方向）とする。
【００４８】
中間板１２０ｂには、軸受け部１２１の外周に沿って、図８（ｂ）における第１吸引部１２０の左奥側と右手前側に、軸受け部１２１の中心に関して対称となるように、扇状の規制孔部１２６ａ、１２６ｂ（規制部）がそれぞれ設けられている。図１０（ａ）、（ｂ）に示すように、左奥側の規制孔部１２６ａと右手前側の規制孔部１２６ｂは、いずれも中間板１２０ｂを上下方向に貫通している。
【００４９】
磁石保持板１２０ｃには、軸受け部１２１の外周において奥行き方向の中央位置から左右に延びるように、１組の第１着脱孔１２４ａ、１２４ｂ（孔部、開口部）が設けられている。さらに、磁石保持板１２０ｃには、軸受け部１２１の外周において、上記１組の規制孔部１２６ａ、１２６ｂに対応する位置から外側へ延びるように、１組の第２着脱孔１２５ａ、１２５ｂ（孔部、開口部）が設けられている。これら２組の着脱孔１２４ａ、１２４ｂ、１２５ａ、１２５ｂは磁石保持板１２０ｃを上下方向に貫通している（図１０（ａ）参照）。また、第１着脱孔１２４ａ、１２４ｂと第２着脱孔１２５ａ、１２５ｂは、軸受け部１２１の外周に沿った方向において、規制壁部１２７ａ、１２７ｂ（規制部）を介して、互いに離間するように設けられている。
【００５０】
図８（ｃ）に示すように、軸受け部１２１の左右両側であって第１着脱孔１２４ａ、１２４ｂの外側に、１組の第１の永久磁石１２２ａ、１２２ｂが互いに対称に配置されている。さらに、第１吸引部１２０の幅方向において、軸受け部１２１の奥側と手前側に別の１組の第２の永久磁石１２３ａ、１２３ｂが互いに対称に配置されている。Ｄ１−Ｄ２方向に沿って見た平面視において、永久磁石１２２ａ、１２２ｂの間隔と、永久磁石１２３ａ、１２３ｂの間隔は同一としている。これら４つの永久磁石１２２ａ、１２２ｂ、１２３ａ、１２３ｂは、互いに同一の形状を有し、かつ、平面視円形をなしており、上面が磁石保持板１２０ｃの上面と同一面を形成するように、磁石保持板１２０ｃに設けた凹部（不図示）内にそれぞれ配置されている。これら４つの永久磁石における磁極の配置方向は互いに同一であり、例えば、第１吸引部１２０のＤ１側にＮ極、Ｄ２側にＳ極が配置される。
【００５１】
第２吸引部１３０は、図９（ａ）に示すように、基材１３７の凹部１３７ａ内に１組の永久磁石１３２、１３３を配置している。これらの永久磁石１３２、１３３は、長板状の保持板１３４上に固定されている。これらの永久磁石１３２、１３３は、互いに同一の形状を有し、かつ、平面視円形をなしており、上面が規制凹部１３７ｂから突出しないように保持板１３４上にそれぞれ設けられている。この１組の永久磁石１３２、１３３は、平面視において、第１吸引部１２０の永久磁石１２２ａ、１２２ｂの間隔、及び、永久磁石１２３ａ、１２３ｂの間隔と同一の間隔で配置されている。
【００５２】
これらの永久磁石１３２、１３３における磁極の配置方向は互いに同一であり、例えば、第２吸引部１３０の厚み方向の一方側にＮ極、他方側にＳ極が配置される。この磁極は、引張帯１１８を閉じる際に、１組の永久磁石１３２、１３３を、永久磁石１２２ａ、１２２ｂ又は永久磁石１２３ａ、１２３ｂにそれぞれ対向させたときに、互いに異なる磁極が対向しあうように配置されている。すなわち、永久磁石１２２ａ、１２２ｂ、及び、永久磁石１２３ａ、１２３ｂのＤ１側（対向面側）にＮ極が配置された場合は、１組の永久磁石１３２、１３３の表面（対向面）側にＳ極が配置される。
【００５３】
保持板１３４は、その長手方向の中心において、厚み方向に貫通するように設けられた孔部１３４ａを有する。この孔部１３４ａと、凹部１３７ａを厚み方向に貫通する孔部１３７ｃとの両方に挿通される軸部材１３１によって、保持板１３４はその長手方向の中心が支持される。これにより、１組の永久磁石１３２、１３３は、軸部材１３１に関して互いに対称な関係を維持しつつ、軸部材１３１の回動軸ＡＸの周りを回動可能となる。
【００５４】
保持板１３４は、凹部１３７ａにおいて、基材１３７の厚み方向に凹むように設けられた規制凹部１３７ｂ（角度規制部）内に配置されている。
図９（ｂ）に示すように、凹部１３７ａ上にはカバー板１３８が配置され、このカバー板１３８によって、１対の永久磁石１３２、１３３を設けた保持板１３４は、規制凹部１３７ｂ内で回動可能な状態で覆われる。基材１３７を厚み方向に貫通した軸部材１３１は、カバー板１３８の平面視中央に設けられた孔部（不図示）を貫通している。図９（ｂ）と図１０（ａ）、（ｂ）に示すように、軸部材１３１において、カバー板１３８側から延出した先端部には、１組の円柱状の突起部１３６ａ、１３６ｂが設けられている。これらの突起部１３６ａ、１３６ｂは、軸部材１３１の回動軸ＡＸに関して対称となるように、外側へそれぞれ延びている。
【００５５】
突起部１３６ａ、１３６ｂは、軸部材１３１を軸受け部１２１内に挿入したときに、第１吸引部１２０に設けた、２組の着脱孔１２４ａ、１２４ｂ、１２５ａ、１２５ｂに挿入可能な形状を備える。さらに、円柱状の突起部１３６ａ、１３６ｂの径方向の大きさ（直径）は、第１吸引部１２０の規制孔部１２６ａ、１２６ｂ内において、上部が磁石保持板１２０ｃで覆われた領域においても移動可能なサイズである。
【００５６】
図６に示すように、軸部材１３１において、基材１３７においてカバー板１３８とは反対側の面から延出した端部には操作部１３９が設けられている。操作部１３９は、軸部材１３１を介して保持板１３４と一体化されている。このため、軸部材１３１と保持板１３４が回動軸ＡＸを中心に回動すれば操作部１３９も回動し、使用者による操作によって操作部１３９が回動軸ＡＸを中心に回動したときは軸部材１３１と保持板１３４も一体となって回動する。
【００５７】
以上の構成の第２吸引部１３０の第１吸引部１２０への脱着について説明する。
図７に示すように突起部１３６ａ、１３６ｂが左右方向にそれぞれ延びた状態で、背のう部本体１１５の底面１１５ａに引張帯１１８を接近させると、第２吸引部１３０側の１組の永久磁石１３２、１３３と、第１吸引部１２０側の永久磁石１２２ａ、１２２ｂとの間に磁気的な吸引力が働く。これにより、図１０（ａ）の上図に示すように、突起部１３６ａ、１３６ｂが第１吸引部１２０の第１着脱孔１２４ａ、１２４ｂから第１吸引部１２０内へそれぞれ導入され、さらに、軸部材１３１の先端部が軸受け部１２１内へ挿入される。このとき、突起部１３６ａ、１３６ｂは、中間板１２０ｂの規制孔部１２６ａ、１２６ｂ内まで挿入されるが、第１着脱孔１２４ａ、１２４ｂの下方に至る（図１０（ａ）の上図参照）。
【００５８】
上述のように、第１吸引部１２０には、永久磁石１２２ａ、１２２ｂのほかに、もう１組の永久磁石１２３ａ、１２３ｂが設けられている。図１０（ａ）の上図の状態において、保持板１３４は規制凹部１３７ｂ内で回動軸ＡＸを中心にして回動可能である。このため、第１吸引部２０内に導入された１組の永久磁石１３２、１３３は、永久磁石１２２ａ、１２２ｂと、永久磁石１２３ａ、１２３ｂとの磁気的吸引力のバランスにより、回動軸ＡＸを中心とする周方向において回動し、上記２組の永久磁石の中間の位置、すなわち、規制壁部１２７ａ、１２７ｂに対応する位置で安定する。このとき、図１０（ａ）、（ｂ）の下図に示すように、突起部１３６ａ、１３６ｂは、規制壁部１２７ａ、１２７ｂの下方に位置するため、上下方向への移動が規制される。別言すると、この状態においては、第１吸引部１２０と第２吸引部１３０の対向方向における離間が規制される。よって、この状態では、第２吸引部１３０を設けた引張帯１１８は、第１吸引部１２０に対して固定され、蓋板１１６が閉じた状態となる。
【００５９】
これに対して、使用者が、回動軸ＡＸを中心として操作部１３９を回動させる操作を行うと、軸部材１３１を介して一体化された突起部１３６ａ、１３６ｂは回動して、第１着脱孔１２４ａ、１２４ｂの下方（図１０（ａ）の上図）、又は、第２着脱孔１２５ａ、１２５ｂの下方の位置へ移動する。これによって、突起部１３６ａ、１３６ｂは、第１吸引部１２０から脱離可能な状態となる。この状態においては、１組の永久磁石１３２、１３３と、これに近接する第１吸引部１２０側の１組の永久磁石との間の磁気的吸引力よりも大きな力でＤ１方向に沿って引張帯１１８を引き上げると、第２吸引部１３０が第１吸引部１２０から離間し、引張帯１１８を第１吸引部１２０から脱離することができ、蓋板１１６を開くことが可能となる。
【００６０】
なお、上述の説明では、突起部１３６ａ、１３６ｂを第１吸引部１２０内に導入する際に、第１着脱孔１２４ａ、１２４ｂから挿入する例を挙げたが、第２着脱孔１２５ａ、１２５ｂから挿入することも可能である。
また、第２着脱孔１２５ａ、１２５ｂを設けずに、第１着脱孔１２４ａ、１２４ｂから突起部１３６ａ、１３６ｂを挿入し、又は、脱離するようにしてもよい。
本発明について上記実施形態を参照しつつ説明したが、本発明は上記実施形態に限定されるものではなく、改良の目的又は本発明の思想の範囲内において改良又は変更が可能である。
【産業上の利用可能性】
【００６１】
以上のように、本発明に係る背のうの蓋部の固定構造は、ランドセル、リュックサックその他の背のうに利用可能であり、構成を複雑化することなく、蓋部の開閉操作の簡便性を有しつつ、蓋止め状態を確実に維持することができる点で有用である。
【符号の説明】
【００６２】
１１      ランドセル（背のう（背負い鞄））
１３      背当て部
１４      収納部
１５      背のう部本体
１５ａ    底面（底部）
１６      蓋板（蓋部）
１７      背負いベルト
１８      引張帯（帯体）
２０      第１吸引部
２１      軸受け部
２２、２３  永久磁石
２４、２５  凹部
２４ａ、２５ａ  壁部（規制部）
２４ｂ、２５ｂ  溝部
２４ｃ、２５ｃ  上壁部（規制部）
２４ｄ、２５ｄ  開口部
３０    第２吸引部
３１    軸部材
３２、３３  永久磁石
３４、３５  設置部
３４ａ、３５ａ  先端部
３４ｂ、３５ｂ  係合凹部
３６      基材
３７      台座部
３８      操作部
１１１    ランドセル（背のう（背負い鞄））
１１３    背当て部
１１４    収納部
１１５    背のう部本体
１１５ａ  底面（底部）
１１６    蓋板（蓋部）
１１７    背負いベルト
１１８    引張帯（帯体）
１２０    第１吸引部
１２０ａ  基材
１２０ａｃ  凹部
１２０ｂ  中間板
１２０ｃ  磁石保持板
１２１    軸受け部
１２２ａ、１２２ｂ  第１の永久磁石
１２３ａ、１２３ｂ  第２の永久磁石
１２４ａ、１２４ｂ  第１着脱孔
１２５ａ、１２５ｂ  第２着脱孔
１２６ａ、１２６ｂ  規制孔部
１２７ａ、１２７ｂ  規制壁部
１３０    第２吸引部
１３１    軸部材
１３２、１３３  永久磁石
１３４    保持板
１３６ａ、１３６ｂ  突起部
１３７    基材
１３７ａ  凹部
１３７ｂ  規制凹部
１３８    カバー板
１３９    操作部
ＡＸ      回動軸
【図１】
2019176892.tif 000003
【図２】
2019176892.tif 000004
【図３】
2019176892.tif 000005
【図４】
2019176892.tif 000006
【図５】
2019176892.tif 000007
【図６】
2019176892.tif 000008
【図７】
2019176892.tif 000009
【図８】
2019176892.tif 000010
【図９】
2019176892.tif 000011
【図１０】
2019176892.tif 000012